(57)【要約】【課題】本発明には、レンズ及び撮影機能を有する電子機器が提供される。【解決手段】レンズは、鏡筒、第１レンズ、第２レンズ及び第１遮光シートを備え、第１レンズ、第１遮光シート及び第２レンズは物体側から像側まで順次に鏡筒内に積層して設置され、鏡筒は第１遮光シートの外周に取り囲まれた第１環状傾斜面を有し、第１環状傾斜面に接着剤層が設けられており、第１遮光シートの外縁は接着剤層に接着されている。本発明では、鏡筒の第１環状傾斜面に接着剤層が設けられ、第１遮光シートの外縁が固定される際に接着剤層に接着されることにより、レンズを組み立てる際に第１環状傾斜面に位置する第１遮光シートがチャックによって引き出されることによって第１遮光シートが鏡筒に対して位置ずれが発生することを防止できる。したがって、第１環状傾斜面に接着剤層が設けられることにより、第１遮光シートは鏡筒内の第１環状傾斜面に安定的に固定することができる。【選択図】図１
2020106822.tif 000002
【特許請求の範囲】
【請求項１】
鏡筒、第１レンズ、第２レンズ及び第１遮光シートを備え、前記第１レンズ、前記第１遮光シート及び前記第２レンズは物体側から像側まで順次に前記鏡筒内に積層して設置され、前記鏡筒は前記第１遮光シートの外周に取り囲まれた第１環状傾斜面を有するレンズであって、前記第１環状傾斜面に接着剤層が設けられており、前記第１遮光シートの外縁は前記接着剤層に接着されていることを特徴とするレンズ。
【請求項２】
前記第１レンズの物体側に設置されかつ前記鏡筒内に位置する第３レンズをさらに備え、前記第３レンズと前記第１レンズとの間に第２遮光シートが設けられていることを特徴とする請求項１に記載のレンズ。
【請求項３】
前記第３レンズの物体側に設置されかつ前記鏡筒内に位置する第４レンズをさらに備え、前記第４レンズと前記第３レンズとの間に第３遮光シートが設けられていることを特徴とする請求項２に記載のレンズ。
【請求項４】
前記第３レンズの物体側の外縁には、環状の溝が取り囲んで設置されており、前記第４レンズの像側の外縁には、環状のボスが設けられており、前記環状のボスは前記環状の溝に係止挿入されることを特徴とする請求項３に記載のレンズ。
【請求項５】
前記環状の溝は溝側壁と溝底壁によって囲まれて形成され、前記溝側壁及び前記溝底壁は前記鏡筒の径方向に内から外へ順次に設置され、前記溝側壁は前記鏡筒の中心線から徐々に離れるように前記溝底壁まで斜めに延びており、前記環状のボスは前記溝側壁と貼り合わせて設置された第２環状傾斜面を有することを特徴とする請求項４に記載のレンズ。
【請求項６】
前記第２レンズの像側に設置されかつ前記鏡筒内に位置する第５レンズをさらに備え、前記第２レンズと前記第５レンズとの間に第４遮光シートが設けられていることを特徴とする請求項１乃至５のいずれか一項に記載のレンズ。
【請求項７】
物体側から像側まで順次に前記第４遮光シートと前記第５レンズとの間に積層して設置される遮光板及び第５遮光シートをさらに備えることを特徴とする請求項６に記載のレンズ。
【請求項８】
前記第５レンズの像側に設置されかつ前記鏡筒内に位置する押えリングをさらに備えることを特徴とする請求項６に記載のレンズ。
【請求項９】
請求項１乃至８のいずれか一項に記載のレンズを備えることを特徴とする撮影機能を有する電子機器。
【請求項１０】
前記撮影機能を有する電子機器は携帯電話又はカメラであることを特徴とする請求項９に記載の撮影機能を有する電子機器。
【発明の詳細な説明】
【技術分野】
【０００１】
本発明は、光学結像技術の分野に関し、特に、レンズ及び撮影機能を有する電子機器に関する。
【背景技術】
【０００２】
近年、結像技術の発展及び結像機能を有する電子製品の登場に伴い、光学レンズは各種の製品に広く適用されている。従来技術において、レンズは、収容空間を有する鏡筒と、収容空間に収容される複数のレンズと、隣接する２つのレンズの間に設置される遮光シートとを備え、複数のレンズの間は積層の態様で組み立てられ、レンズを鏡筒の内壁に接着された押えリングを介して鏡筒内に制限する。
【０００３】
従来の遮光シートはいずれもチャックによりレンズに取り付けられている。しかしながら、鏡筒の内壁に環状の傾斜面の構造を有する場合、各遮光シートを取り付ける際に、環状の傾斜面に位置する遮光シートがチャックによって引き出されやすくなり、ここに遮光シートを取り付けるとずれが生じてしまう。
【０００４】
したがって、環状の傾斜面に位置する遮光シートがチャックによって引き出されやすくなり、ここに遮光シートを取り付けるとずれが生じてしまうという従来のレンズの問題を解決するためのレンズを提供する必要がある。
【発明の概要】
【発明が解決しようとする課題】
【０００５】
本発明は、遮光シートを安定的に環状の傾斜面に取り付けることができるレンズを提供することを目的とする。
【課題を解決するための手段】
【０００６】
本発明の技術的要件は下記の通りである。
【０００７】
上記の目的を実現するために、本発明には、鏡筒、第１レンズ、第２レンズ及び第１遮光シートを備え、前記第１レンズ、前記第１遮光シート及び第２レンズは物体側から像側まで順次に前記鏡筒内に積層して設置され、前記鏡筒は前記第１遮光シートの外周に取り囲まれた第１環状傾斜面を有し、前記第１環状傾斜面に接着剤層が設けられており、前記第１遮光シートの外縁は前記接着剤層に接着されているレンズが提供される。
【０００８】
１つの改良として、前記レンズは、前記第１レンズの物体側に設置されかつ前記鏡筒内に位置する第３レンズをさらに備え、前記第３レンズと前記第１レンズとの間に第２遮光シートが設けられている。
【０００９】
１つの改良として、前記レンズは、前記第３レンズの物体側に設置されかつ前記鏡筒内に位置する第４レンズをさらに備え、前記第４レンズと前記第３レンズとの間に第３遮光シートが設けられている。
【００１０】
１つの改良として、前記第３レンズの物体側の外縁には、環状の溝が取り囲んで設置されており、前記第４レンズの像側の外縁には、環状のボスが設けられており、前記環状のボスは前記環状の溝に係止挿入される。
【００１１】
１つの改良として、前記環状の溝は溝側壁と溝底壁によって囲まれて形成され、前記溝側壁及び前記溝底壁は前記鏡筒の径方向に内から外へ順次に設置され、前記溝側壁は前記鏡筒の中心線から徐々に離れるように前記溝底壁まで斜めに延びており、前記環状のボスは前記溝側壁と貼り合わせて設置された第２環状傾斜面を有する。
【００１２】
１つの改良として、前記レンズは、前記第２レンズの像側に設置されかつ前記鏡筒内に位置する第５レンズをさらに備え、前記第２レンズと前記第５レンズとの間に第４遮光シートが設けられている。
【００１３】
１つの改良として、前記レンズは、物体側から像側まで順次に前記第４遮光シートと前記第５レンズとの間に積層して設置される遮光板及び第５遮光シートをさらに備える。
【００１４】
１つの改良として、前記レンズは、前記第５レンズの像側に設置されかつ鏡筒内に位置する押えリングをさらに備える。
【００１５】
本発明には、上記のレンズを備える、撮影機能を有する電子機器がさらに提供される。
【００１６】
１つの改良として、前記撮影機能を有する電子機器は携帯電話又はカメラである。
【発明の効果】
【００１７】
本発明の有益な効果は、鏡筒の第１環状傾斜面に接着剤層が設けられ、第１遮光シートの外縁が固定される際に接着剤層に接着されることにより、レンズを組み立てる際に第１環状傾斜面に位置する第１遮光シートがチャックによって引き出されることによって第１遮光シートが鏡筒に対して位置ずれが発生することを防止できる。したがって、第１環状傾斜面に接着剤層が設けられることにより、第１遮光シートは鏡筒内の第１環状傾斜面に安定的に固定することができることにある。
【図面の簡単な説明】
【００１８】
【図１】本発明のレンズモジュールの正面断面図である。
【図２】図１におけるＡ部分の拡大図である。
【図３】図１におけるＢ部分の拡大図である。
【符号の説明】
【００１９】
１…レンズ、１０…鏡筒、１１…第１環状傾斜面、２０…レンズ群、２１…第１レンズ、２２…第２レンズ、２３…第３レンズ、２３１…環状の溝、２３２…溝側壁、２３３…溝底壁、２４…第４レンズ、２４１…環状のボス、２４２…第２環状傾斜面、２５…第５レンズ、３０…第１遮光シート、４０…接着剤層、５０…第２遮光シート、６０…第３遮光シート、７０…遮光板、８０…第４遮光シート、９０…第５遮光シート、１００…押えリング。
【発明を実施するための形態】
【００２０】
以下、図面及び実施形態を組み合わせて本発明をさらに説明する。
【００２１】
図１及び図２を参照すると、本発明には、鏡筒１０と、鏡筒１０の内部に収容されるレンズ群２０とを備え、レンズ群２０は物体側から像側まで順次に積層して設置される第１レンズ２１及び第２レンズ２２を含み、当該レンズ１は、第１レンズ２１と第２レンズ２２との間に設置されかつ両者の接続箇所に位置する第１遮光シート３０をさらに備え、光は第１レンズ２１と第２レンズ２２の接続箇所に照射されると第１遮光シート３０によって吸収され、光が第１レンズ２１から第２レンズ２２における固定部に照射されて迷光を生じさせることを防止するレンズ１が提供される。本実施例では、鏡筒１０の内側壁の中部位置には、第１遮光シート３０の外周に取り囲まれた第１環状傾斜面１１が設けられており、第１遮光シート３０を鏡筒１０内の第１環状傾斜面１１に安定的に固定するために、第１環状傾斜面１１にペースト層４０が塗布されており、当該ペースト層４０は接着剤層であり、第１遮光シート３０の第１環状傾斜面１１に向かう一端部は当該接着剤層４０に接着され、このように、レンズ１を組み立てる際に当該第１環状傾斜面１１に位置する第１遮光シート３０がチャックによって引き出されて位置ずれが発生することを防止でき、これによって、第１遮光シート３０をレンズ１内の第１環状傾斜面１１に安定的に固定する。同時に、第１遮光シート３０が接着剤層４０を介して第１環状傾斜面１１に固定されるため、第１遮光シート３０を製造する時に、第１遮光シート３０の縁に対する製造要求を下げ、第１遮光シート３０の製造コストを削減することができる。
【００２２】
レンズ群２０は、第１レンズ２１の物体側に設置される第３レンズ２３及び第４レンズ２４をさらに含み、第３レンズ２３は第４レンズ２４と第１レンズ２１との間に位置し、光が第３レンズ２３から第１レンズ２１の固定部に照射されて迷光を生じさせることを防止するために、第３レンズ２３と第１レンズ２１との間に第２遮光シート５０が設けられており、光が第４レンズ２４から第３レンズ２３の固定部に照射されて迷光を生じさせることを防止するために、第４レンズ２４と第３レンズ２３との間に第３遮光シート６０が設けられている。
【００２３】
さらに図３を参照すると、好ましくは、第３レンズ２３の物体側の外縁には、環状の溝２３１が取り囲んで設置されており、第４レンズ２４の像側の外縁には、環状のボス２４１が設けられており、当該環状のボス２４１は環状の溝２３１に係止挿入される。このように、第４レンズ２４の固定部に環状のボス２４１を設け、第３レンズ２３の固定部に環状のボス２４１が係止挿入する環状の溝２３１を設けることで、第３レンズ２３と第４レンズ２４を合わせる安定性に有利でる。
【００２４】
好ましくは、環状の溝２３１は溝側壁２３２と溝底壁２３３によって囲まれて形成され、溝側壁２３２及び溝底壁２３３は鏡筒１０の径方向に内から外へ順次に設置され、溝側壁２３２は鏡筒１０の中心線から徐々に離れるように溝底壁２３３まで斜めに延びており、環状のボス２４１は溝側壁２３２と貼り合わせて設置された第２環状傾斜面２４２を有し、環状のボス２４１を溝側壁２３２と貼り合わせる箇所を勾配構造にすることにより、第３レンズ２３と第４レンズ２４を組み立てる際に、２つの第２環状傾斜面２４２の合わせにより、第３レンズ２３の中心線を第４レンズ２４の中心線と重ね合わせ、レンズ１の結像品質を向上させることができる。
【００２５】
レンズ群２０は、第２レンズ２２の像側に設置される第５レンズ２５をさらに含み、レンズ１は、第５レンズ２５と第２レンズ２２との間に位置する遮光板７０をさらに備え、遮光板７０は、第５レンズ２５と第２レンズ２２との間に生じた迷光を吸収し、レンズ１の結像品質を向上させる一方、第５レンズ２５と第２レンズ２２との間の距離を調整することに用いられる。同時に、第２レンズ２２における光が第５レンズ２５の固定部に照射されて迷光を生じさせることを防止するために、本実施例では、第２レンズ２２と遮光板７０との間に第４遮光シート８０が設けられており、遮光板７０と第５レンズ２５との間に第５遮光シート９０が設けられている。
【００２６】
好ましくは、レンズ１は、第５レンズ２５の像側に設置されかつ鏡筒１０内に位置する押えリング１００をさらに備え、本実施例では、各レンズは押えリング１００により鏡筒１０内に固定され、このように、レンズ１を容易に外すことができる。もちろん、具体的な適用において、各レンズは接着剤により鏡筒１０内に固定されてもよい。
【００２７】
理解できるように、レンズ群２０は上記の５つのレンズを含むことに限らず、具体的に、レンズ群２０は、２つ（即ち、レンズ群２０は上記の第１レンズ２１及び第２レンズ２２のみを含む）、又は３つ（即ち、レンズ群２０は上記の第１レンズ２１、第２レンズ２２及び第３レンズ２３を含む）、又は４つ（即ち、レンズ群２０は上記の第１レンズ２１、第２レンズ２２、第３レンズ２３及び第４レンズ２４を含む）、又は５つ以上のレンズを含んでもよく、具体的に実際の必要に応じて決定できる。
【００２８】
本発明の実施例には、上記のレンズ１を備える、撮影機能を有する電子機器がさらに提供される。好ましくは、当該撮影機能を有する電子機器は携帯電話又はカメラである。
【００２９】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
2020106822.tif 000003
【図２】
2020106822.tif 000004
【図３】
2020106822.tif 000005